(57)【要約】【課題】ブラケットのぐらつきを防止できる棚を提供する。【解決手段】本発明にかかる棚１は、取付材３と、取付材３に取付けるブラケット５と、棚板７とを備え、ブラケット５は、嵌合部１３と、当接部１５を有し、棚板７は、ブラケット５の嵌合部１３に嵌合する被嵌合部３１と、位置規制部３３と、案内部３５を有し、棚板７の案内部３５をブラケット５の当接部１５に水平方向又は斜め方向から当ててブラケット５を棚板７の位置規制部３３に向けて案内する。【選択図】図１
2020110251.tif 000002
【特許請求の範囲】
【請求項１】
取付材と、取付材に取付けるブラケットと、棚板とを備え、ブラケットは、嵌合部と、当接部を有し、棚板は、ブラケットの嵌合部に嵌合する被嵌合部と、位置規制部と、案内部を有し、棚板の案内部をブラケットの当接部に水平方向又は斜め方向から当ててブラケットを棚板の位置規制部に向けて案内することを特徴とする棚。
【発明の詳細な説明】
【技術分野】
【０００１】
本発明は、棚に関する。
【背景技術】
【０００２】
非特許文献１には、図１０に示すように、支柱（取付材）８１にブラケット８３を取付け、ブラケット８３に棚板８５を載置して、支柱８１に係合した外れ止め材８７で棚板８５を上から押さえることが開示されている。
【先行技術文献】
【非特許文献】
【０００３】
【非特許文献１】第１８７頁「タテヤマアドバンス  ２０１７−２０１８  タテヤマゴンドラ  店舗用陳列什器  総合カタログ」商品コード０９８２２１ＳＥ  三協立山株式会社  タテヤマアドバンス社  ２０１７年６月４日発行
【発明の概要】
【発明が解決しようとする課題】
【０００４】
しかし、非特許文献１の技術では、取付材に取付けたブラケットが左右にぐらつくおそれがあった。
【０００５】
そこで、本発明は、ブラケットのぐらつきを防止できる棚の提供を目的とする。
【課題を解決するための手段】
【０００６】
請求項１に記載の発明は、取付材と、取付材に取付けるブラケットと、棚板とを備え、ブラケットは、嵌合部と、当接部を有し、棚板は、ブラケットの嵌合部に嵌合する被嵌合部と、位置規制部と、案内部を有し、棚板の案内部をブラケットの当接部に水平方向又は斜め方向から当ててブラケットを棚板の位置規制部に向けて案内することを特徴とする棚である。
【発明の効果】
【０００７】
請求項１に記載の発明によれば、棚板の案内部がブラケットを位置規制部に向けて案内して、棚板の被嵌合部がブラケットの嵌合部に嵌合するので、ブラケットと棚板との嵌合位置では、ブラケットが位置規制されるので、ブラケットのぐらつきを防止できる。
【図面の簡単な説明】
【０００８】
【図１】本発明の実施の形態にかかる棚であって、棚板をブラケットに嵌合する工程を（ａ−１）、（ａ―２）、（ｂ−１）、（ｃ−１）の順次で示す斜視図であり、（ｃ−２）は（ｃ−１）の平面図であり、（ｂ−２）は（ｂ−１）の平面図である。
【図２】本発明の実施の形態にかかる棚の分解斜視図である。
【図３】取付材に取付けたブラケットにベースを取付ける工程を示す図であり、（ａ）はベースを取付ける前の状態を示す斜視図、（ｂ）はベースを取付ける工程を示す側面図、（ｃ）はベースを取付けた状態の側面図である。
【図４】ベースに棚板本体を取付ける工程を示す図であって、（ａ）は棚板本体のローラをベースに係合する工程を示す斜視図、（ｂ）は棚板本体をベースのローラに係合する工程を示す側面図である。
【図５】棚板本体に落下防止具を取付ける工程を示す斜視図である。
【図６】棚板本体のスライド操作を示す図であり、（ａ）は棚板本体がスライドした状態の斜視図、（ｂ）は棚板本体のスライド前におけるラッチとベースの係脱を示す断面図である。
【図７】ベースの図であり、（ａ）は平面図、（ｂ）は正面図、（ｃ）は（ａ）に示すＣ−Ｃ断面図、（ｄ）は側面図、（ｅ）は（ｂ）に示すＡ−Ａ断面図である。
【図８】棚板本体の図であり、（ａ）は平面図、（ｂ）は正面図、（ｃ）は（ａ）に示すＥ−Ｅ断面図、（ｄ）は側面図である。
【図９】本発明の実施の形態にかかる棚の側面図である。
【図１０】従来の棚を示す斜視図である。
【発明を実施するための形態】
【０００９】
以下に、添付図面を参照して本発明の実施の形態を説明する。  
図２及び図９に示すように、本発明の実施の形態にかかる棚１は、左右の取付材３、３と、各取付材３に取付けるブラケット５と、棚板７とを備えている。  
取付材３は、台９（図９参照）の左右に立設した支柱であり、左右の各取付材３の前面には、ブラケット５を係止する被係止孔３ａ（図３参照）が長手方向に亘って列設されている。  
【００１０】
図１及び図２に示すように、ブラケット５は、嵌合部１３と、当接部１５とを備えている。嵌合部１３の後側には、取付材３の被係止孔３ａに係止する係止部１１（図２参照）が設けてあり、当接部１５の前方には棚板載置部１７及び棚板係合部１９（図２参照）が設けてある。  
図１に示すように、嵌合部１３には、前方に開口する嵌合溝１３ａが形成してあり、この実施の形態では、溝底が当接部１５である。嵌合溝１３ａの上側溝壁２１ａを含む上部には、ベース（棚板）２５の跳ね上がりを防止する跳ね上がり防止部２３が設けてある。嵌合溝１３ａの下側溝壁２１ｂは棚板載置部１７に連続した面である。
図２に示すように、棚板係合部１９は棚板載置部１７の前側端部から上方に向けて突出した突部である。
【００１１】
図２及び図５に示すように、棚板７は、ベース２５と、棚板本体２７とから構成されており、ベース２５はブラケット５に取付けてあり、棚板本体２７はベース２５に取付けてベース２５の前方にスライド自在としてある。  
図２及び図７に示すように、ベース２５は、左右の側枠２５ａと前枠２５ｂと後枠２５ｃとで四角環状に枠組みしてあり、左右の側枠２５ａには、それぞれベース２５の外周側に側板２９が固定されている。  
図１及び図２に示すように、側板２９は、被嵌合部３１と、位置規制部３３と、案内部３５を有し、位置規制部３３は案内部３５のベース外周側に位置し、位置規制部３３と案内部３５との間に被嵌合部３１が位置している。  
案内部３５と被嵌合部３１と位置規制部３３とはこの順序でベース外周側へ向けて連続して形成されている。  
【００１２】
案内部３５は、後側から前側に向けて前側ほどベース外周側に延出した傾斜面としてあり、被嵌合部３１は後側を向いた端面であり、位置規制部３３は被嵌合部３１のベース外周側で下方に延出する側壁である。位置規制部３３は被嵌合部３１から前方に延出しており、ブラケット５の外側面（ベース外周側面）５ａに対向して、ブラケット５の前後方向に亘って設けている（図２参照）。  
また、図２及び図３に示すように、側板２９の前側端部には、ブラケット５の棚板係合部１９に上から係合する被係合部３６が設けてある。被係合部３６は孔である。  
【００１３】
また、図４に示すように、ベース２５には、左右の側枠２５ａ、２５ａの前側端部に棚板本体２７のスライドを案内するベース側案内車３７が設けてある。更に、左右の側枠２５ａ、２５ａには、ベース内周側に棚板本体２７の棚板側案内車（後述する）３９の前後方向の移動を案内する案内部４１が設けてある。  
図７（ｅ）に示すように、ベース２５の前枠２５ｂは、断面略コ字形状を成し、前枠２５ｂの長手方向略中央部には、前側の角部にラッチ係合部４３が設けてある。ラッチ係合部４３は前枠２５ｂに形成した切除部である。  
【００１４】
図４及び図８に示すように、棚板本体２７は、前端にカードレール４５を有し、本体部２７ａと、本体部２７ａの左右に下方に延出した側壁４７を有する側板２７ｂが取付けてある。側壁４７は、本体部２７ａの下面にスポット溶接で固定してあると共に、後端部を折り曲げて本体部２７ａの後壁４９に重ねてリベット５１で固定してある。  
また、本体部２７ａの下面には、左右方向に亘る補強材５３が前後２箇所に固定されている。  
図４に示すように、棚板本体２７の後端部にはベース２５の側枠２５ａをスライドする棚板側案内車３９が取付けてある。  
尚、図４（ｂ）に示すように、側板２７ｂにはベース側案内車３７の移動を案内する案内部５５が設けてあると共に、案内部５５の一部には、ベース側案内車３７の挿入穴５５ａが形成されている。  
また、図６（ａ）（ｂ）に示すように、棚板本体２７の下面でカードレール４５の後側には、ラッチ５６が設けてある。図６（ｂ）に示すように、ラッチ５６はばね（図示せず）により常時上方に付勢されてラッチ係合部４３に係合しており、ラッチ５６は指先の操作により下方に回動してラッチ係合部４３から外れるようになっている。  
図２及び図５に示すように、棚板本体２７には、その上面に前面ネット５７ａ、背面ネット５７ｂ及び左右の仕切材５７ｃから構成される落下防止具が設けてある。前面ネット５７ａ、背面ネット５７ｂ及び左右の仕切材５７ｃは、棚板本体２７に形成したパンチング孔５９に取付けてある。パンチング孔５９は棚板本体２７の左右方向に亘って列設されており、パンチング孔５９の列は、前側と後側とに合計２列が形成されている。  
【００１５】
次に、本実施の形態に係る棚１の組立について説明する。  
図３（ａ）に示すように、左右の取付材３の被係止孔３ａにブラケット５の係止部１１を係止して、各取付材３にブラケット５を取付ける。  
次に、図３（ｂ）（ｃ）に示すように、棚板７のベース２５をブラケット５に取付けるが、ベース２５は、後枠２５ｃを下側にして斜め上方から側板２９の後端をブラケット５の嵌合部１３に挿入して嵌合し、側板２９の前端部に形成した被係合部３６をブラケット５の棚板係合部１９に上から係合する。  
【００１６】
ここで、図１を参照してブラケット５とベース（棚板）２５の嵌合について詳しく説明する。尚、図１には、左側のブラケット５とベース２５の左側部のみを示しているが、右側のブラケット５及びベース２５の右側部も同様であるから図示を省略する。  
図１（ａ−１）に示すように、取付材３の被係止孔３ａにブラケット５の係止部１１を係止して、ブラケット５を取付材３に取付ける。このとき、ブラケット５が被係止孔３ａに対して左右方向に固定されていないので、実線で示すように、二点鎖線で示す左右のブラケット５、５が平行な位置よりも内側に少し傾いた位置になっている場合がある。  
次に、図１（ａ−２）に示すように、ブラケット５の嵌合部１３において、ベース（棚板）２５の側板２９に形成された案内部３５を嵌合溝１３ａに前方から挿入する。  
更にベース２５を押し進めると、図１（ｂ−１）（ｂ−２）に示すように、ベース２５の案内部３５がブラケット５の当接部１５にブラケット５の内側面５ｂ側から当接する。更に、ベース２５を後側に向けて押していくと、ブラケット５の当接部１５では、内側面５ｂが案内部３５に押されて、ブラケット５は矢印Ｔで示すように、取付材３の被係止孔３ａを回動中心として内側から外側に向けて回動し、案内部３５の傾斜に沿って次第に前側が外側へ押し広げられる。  
図１（ｃ−１）及び（ｃ−２）に示すように、ベース２５の案内部３５でブラケット５の前側が外側に押し広げられた後、案内部３５に連続する被嵌合部３１がブラケット５の嵌合部１３に嵌合する。この実施の形態では、ブラケットの嵌合部１３にベース２５の被嵌合部３１が嵌合した状態では、被嵌合部３１が当接部１５に当接した状態になる。  
更に、ブラケット５の嵌合部１３がベース２５の被嵌合部３１に嵌合した状態では、ブラケット５の外側面５ａは、ベース２５の位置規制部３３に対向した位置又は当接した位置になる。一方、ブラケット５の当接部１５では、内側面５ｂは案内部３５に内側から当接し、ブラケット５は内側から外側に向けて押された状態にある。  
このように、左右のブラケット５は、それぞれベース２５の案内部３５に案内されて、各ブラケット５は、二点鎖線で示す取付材３への取付位置からベース２５の位置規制部３３で位置規制された適正な位置（図１（ｃ−１）（ｃ−２）で示す実線）へ移動して、適正な位置でブラケット５の嵌合部１３とベース２５の被嵌合部３１が嵌合される。  
【００１７】
次に、図４（ａ）に示すように、棚板本体２７の後端部２７ｃを下側にして傾斜した状態で、後端部２７ｃの左右両側に設けた棚板側案車３９を各ベース２５の案内部４１に挿入部４１ａから挿入する。  
その後、図４（ｂ）に示すように、棚板側案内車３９をベース２５の案内部４１に沿って後側に少し移動させた後、ベース側案内車３７を棚板本体２７の挿入穴５５ａから案内部５５に挿入して、棚板本体２７をベース２５に沿って後側にスライドさせる。  
そして、ベース２５の前枠２５ｂに棚板本体２７の前側端部２７ｄを押し付けると、図６（ｂ）に参照されるように、ベース２５の前枠２５ｂに形成されているラッチ係合部４３にラッチ５６の案内面５６ａが当接して、案内面５６ａに沿ってラッチ５６がばね（図示せず）の付勢力に抗して回動した後、ばねの付勢力で復帰して、ラッチ５６がラッチ係合部４３に係合する。  
これにより、ベース２５に棚板本体２７が取付けられる。  
その後、図５に示すように、対応するパンチング孔５９に、前面ネット５７ａ、背面ネット５７ｂ及び仕切材５７ｃを取付ける。  
以上のようにして、取付材３に上下に各ブラケット５及び棚板７を取付けて、図９に示す棚１を組み立てる。  
【００１８】
次に、棚板７のスライド操作について説明する。図９に二点鎖線で示すように、各棚板７は棚板本体２７が前方にスライド自在としてある。  
棚板７を前方にスライドさせる場合には、図６（ｂ）に示すように、棚板本体２７の前側端部２７ｄの下面に指を入れて、ラッチ５６を回動操作し、ラッチ５６をラッチ係合部４３から外し、その状態で棚板本体２７をベース２５の前方にスライドさせて引き出す。
尚、前方にスライドした棚板本体２７を元の位置に戻すには、棚板本体２７を後側に押し込んでベース２５上に重ねる。これにより、ラッチ５６がラッチ係合部４３に係合して、棚板本体２７がベース２５に固定される。  
【００１９】
本実施の形態によれば、図１（ｂ−１）（ｂ−２）及び（ｃ−１）（ｃ−２）に示すように、ベース（棚板）２５の案内部３５がブラケット５を位置規制部３３に向けて案内して、ブラケット５の嵌合部１３をベース（棚板）２５の被嵌合部３１に嵌合するので、ブラケット５とベース（棚板）２５との嵌合位置では、ブラケット５が位置規制されるので、ブラケット５の左右方向のぐらつきを防止できる。  
図１（ｃ−１）（ｃ−２）に示すように、ブラケット５は二点鎖線で示す取付位置から実線で示す適正位置に案内されて、ブラケットの嵌合部１３とベース（棚板）２５の被嵌合部３１が嵌合するから、ベース（棚板）２５とブラケット５を適正な位置で取付けできる。  
【００２０】
図１（ｂ−１）（ｂ−２）に示すように、ベース（棚板）２５の案内部３５は、位置規制部３３に向けて傾斜する傾斜面としてあり、傾斜面は前側ほどブラケット５の外側に向けて傾斜しているので、ブラケット５にベース（棚板）２５を押し込むことで、ブラケット５を位置規制部３３に向けてスムーズに案内できる。  
ベース（棚板）２５の被嵌合部３１は案内部３５に連続して設けてあるので、案内部３５によりブラケット５が位置規制部３３に案内された後、そのままベース（棚板）２５の被嵌合部３１をブラケット５の嵌合部１３に嵌合できる。  
ベース（棚板）２５の案内部３５、被嵌合部３１及び位置規制部３３は、側板２９に一体に設けて、この側板２９をベース２５の側枠２５ａに取付けているので、構成が簡易で且つ案内部３５、被嵌合部３１及び位置規制部３３を容易に設けることができる。  
位置規制部３３は、下方に延出する側壁としてあるから、形成が容易である。  
ブラケット５の嵌合部１３には、嵌合溝１３ａの上側溝壁２１ａ側に跳ね上がり防止部２３を設けているので、ブラケット５にベース（棚板）２５が嵌合された状態で、ベース（棚板）２５の跳ね上がりを防止できる。  
ブラケット５は、その当接部１５では、内側面５ｂが案内部３５に対向し、ブラケット５の外側面は位置規制部３３に対向するので、ブラケット５は案内部３５と位置規制部３３に挟まれた状態になり、左右のぐらつきが確実に防止できる。  
ブラケット５の前側では、ブラケット５の棚板係合部１９にベース（棚板）２５の被係合部３６が上から係合しているから、ベース（棚板）２５がブラケット５に対して前後にスライドするのを防止できる。  
【００２１】
本発明は、上述した実施の形態に限らず、本発明の要旨を逸脱しない範囲で種々変形可能である。  
例えば、棚板７は、棚板本体２７が前方にスライドするタイプのものに限らず、棚板本体２７がスライドしないタイプの棚板であっても良い。この場合、ベース２５と棚板本体２７を一体に設けても良いし、ベース２５を設けないで、棚板本体２７に被嵌合部３１と、位置規制部３３と、案内部３５を設けても良い。  
ベース（棚板）２５は、後枠２５ｃを下に向けて傾斜した状態でブラケット５の嵌合部１３に嵌合することに限らず、ベース（棚板）２５を水平状態にしてブラケット５の嵌合部１３に嵌合しても良い。  
取付材３は、支柱に限らず、パネル等であっても良い。  
【符号の説明】
【００２２】
１    棚
３    取付材
５    ブラケット
７    棚板
１３  嵌合部
１５  当接部
２５  ベース（棚板）
２７  棚板本体
３１  被嵌合部
３３  位置規制部
３５  案内部
【図１】
2020110251.tif 000003
【図２】
2020110251.tif 000004
【図３】
2020110251.tif 000005
【図４】
2020110251.tif 000006
【図５】
2020110251.tif 000007
【図６】
2020110251.tif 000008
【図７】
2020110251.tif 000009
【図８】
2020110251.tif 000010
【図９】
2020110251.tif 000011
【図１０】
2020110251.tif 000012